(57)【要約】【構成】構築物における縦張りパネルまたはサイディングを張り付ける出隅部や入隅部の納めを行う出隅・入隅部材で、前記パネルまたはサイディング張り始め８の側面端部の一端を受け入れる凹部状または凸部状のスタータ部３を有し、一端に釘やネジ等で固定する固定部７を有し、該固定部７の反対側（他端）には、パネルまたはサイディングの厚みと略同一に折り曲げた厚みを有する略コ字形状の部材を一体的に形成したスタータを具備する出隅・入隅部材。【効果】スタータ部材を兼ねた出隅・入隅部材を廻り縁セットと組み合わせることで、外観上パネルまたはサイディングと表面が面一になるように簡単に仕上げることができる。また、パネルまたはサイディングの張り始めの切断加工が不要である。さらに、出隅や入隅に同じ部材を共通のもので張り納めが可能である。【選択図】      図１
2004360251.tif 000002
【特許請求の範囲】
【請求項１】
構築物における縦張りパネルまたはサイディングの出隅部や入隅部の張り始めや張り納めを行う出隅・入隅部材で、前記パネルまたはサイディングの張り始めの側面端部の一端を受け入れる凹部状または凸部状のスタータ部を有し、一端に釘やネジ等で固定する固定部を有し、該固定部の反対側（他端）には、パネルまたはサイディングの厚みと略同一に折り曲げた厚みを有する略コ字形状の部材を一体的に形成したスタータを具備することを特徴とする出隅・入隅部材。
【請求項２】
構築物における縦張りパネルまたはサイディングの出隅部や入隅部の張り始めや張り納めを行う出隅・入隅部材で、前記パネルまたはサイディングの張り始めの側面端部の一端を受け入れる凹部状、または凸部状のスタータ部を有し、他端に釘やネジ等で固定する固定部を有する係止部材のスタータと、前記凹部状、または凸部状のスタータ部に嵌入できるように、しかもパネルまたはサイディングの張り始めの側面端部が入るような凹部、または凸部に一部または全体に嵌合する部分を有し、他方は、パネルまたはサイディングの厚さと略同一の厚さの折り曲げ部を設けた略コ字形状の部材の２つの別部材で形成するようにしたことを特徴とするスタータと出隅部または入隅部を具備することを特徴とする出隅・入隅部材。
【請求項３】
パネルまたはサイディングの張り終り部の納め方として、パネルまたはサイディングの嵌合目地形状に略同形状の断面を有する受け部材と廻り縁セットを組み合わせて前記出隅・入隅部材による張り始めと、張り終り部の納め方によって請求項１または請求項２記載の出隅・入隅部材と受け部材と廻り縁セットの組み合わせで可能にしたスタータを具備することを特徴とする出隅・入隅部材と受け部材付き廻り縁セット。
【請求項４】
請求項１及び請求項２の出隅・入隅部材、または請求項３記載の出隅・入隅部材と受け部材付き廻り縁セットを用いて、構築物の出隅部または入隅部に合わせて、先ず出隅・入隅部材の一端を出隅部や入隅部に固定し、この出隅・入隅部材に一体または別体に設けた凹部にパネルまたはサイディングにおける張り始めの側面端部の一端を挿入し張り始め、張り終り部では受け部材と廻り縁セットで納めるように施工することを特徴とする出隅または入隅の施工方法。
【発明の詳細な説明】
【０００１】
【発明の属する技術分野】
本発明は、構築物、建造物における出隅部、または入隅部の納まりとして、パネルやサイディング、例えば金属製パネルや金属製サイディングの表面と出隅部や入隅部の表面とを面一にでき、しかも該金属製パネルや金属製サイディングの嵌合部の目地形状と略同形状の目地を出隅部や入隅部の両端にできるようにしたスタータ兼用の出隅・入隅部材で、出隅と入隅に同一部材で共用できる部材に関するものである。
【０００２】
【従来の技術】
従来、縦張り金属製パネルや金属製サイディングを張って、構築物の出隅や入隅を施工する時には、該金属製パネルや金属製サイディングの端部を切断して直接に構築物に釘等で固定し、その出隅部や入隅部に断面が略Ｌ字型に折り曲げた出隅部材または入隅部材を金属板で覆せてその表面より釘等で構築物に固定していた。また、表面に釘頭が見えないようにするには、図７に示すように該金属製パネルまたは金属製サイディングの表面に重ねて材木等を使って下地材を貼り付けて出隅部（入隅部も同様）を作り、その材木を予め所定の形状に折り曲げた金属板で被せて出隅部を施工していた。
また、構築物の外壁にサイディングを貼る時に出隅材や入隅材の表面に釘打ちしないための方法として出隅材取り付け具が出願されている。出隅材隅部を形成する一対の出隅材側面部の各々の内面に該出隅材隅部側を向いて長手方向に延びる第１及び第２係合面が形成された出隅材を建造物出隅部に取り付けるために使用される出隅材取付具であって、弾性を有する材料で形成されており、上記出隅材隅部に対応した取付具隅部を形成すると共に上記出隅材側面部に対応する一対の取付具側面部からなり、建造物出隅部に固定される取付具本体部と、上記取付具本体部の各取付具側面部の外面に、該取付具側面部の側端側に向かって斜め外向きに延びるように設けられ、上記出隅材側面部の第１係合面に係合当接して該第１係合面を該出隅材側面部の側端側に向かって斜め外向きに押圧する第１係合部と、上記取付具本体部の各取付具側面部の外面に、該取付具側面部から立ち上がったのち折り返されて該取付具側面部の側端側に向かって斜め内向きに延びるように設けられ、上記出隅材側面部の第２係合面に係合当接して該第２係合面を該出隅材側面部の側端側に向かって斜め内向きに押圧する第２係合部と、を備えたことを特徴とする出隅材取付具（例えば、特許文献１参照）が存在している。
【０００３】
【特許文献１】
特開２００２−２５０１１０（特許請求の範囲、図１、図２、図８）
【０００４】
【発明が解決しようとする課題】
本発明に係る縦張りの壁部材であるパネルまたはサイディング、例えば金属製パネルまたは金属製サイディングにおける出隅部や入隅部の張り納めを行う出隅・入隅部材は、次の課題を解決することが目的である。
従来の技術によって金属板表面に釘頭が見えない施工をするには、単に図７に示すように構築物下地材（出隅部）２１において縦張り金属製パネルまたは金属製サイディングの張り始め部２２と張り終り部２３を構築物下地材（出隅部）２１の角度に合致するように切断加工し、この切断部２４を合わせて組み合わせる。これを下地板２５と一緒に固定し、この下地板２５を覆うように出隅部材２６（鉄板の折り曲げ加工品）で張り納めるので、壁部材である金属製パネルまたは金属製サイディングの表面と出隅部材セットの表面部が面一に仕上げることができない。しかも、金属製パネルまたは金属製サイディングの端部を切断する必要があった。
また、従来技術である特開２００２−２５０１１０号公報に示された出隅材取付具は、確かに強固で且つ高精度な取り付けが可能となるが、出隅専用の部材を構築物の出隅部に固定させるための窯業系の部材でサイディングのスタータ部を備えていない。従って、出隅部の両側の目地部はコーキング等で隙間をコーキングする必要がある。
これに対し本発明においては、縦張りのパネルあるいはサイディング、例えば金属製パネルあるいは金属製サイディング（以下、金属製パネル、金属製サイディングを用いて説明する）や、合成樹脂製、養生系、パネル、サイディングの端部形状に合わせたスタータ兼用の出隅・入隅部材を先ず、構築物における出隅部の一方に固定し、このスタータ兼用の出隅・入隅部材に金属製パネル端部あるいは金属製サイディング端部の張り始め部を係合して出隅部や入隅部を仕上げていく。さらに、スタータ兼用の出隅・入隅部材の他方は、金属製パネルあるいは金属製サイディングの厚さと略同一の厚さになるように折り曲げ形成されている。このように形成することで外観上、金属製パネルあるいは金属製サイディングの表面と出隅・入隅部材とは面一に仕上げることができる。また、窯業系の外壁の出隅のように目地部をコーキングで納める必要がないものである。
【０００５】
【課題を解決するための手段】
上記課題を解決するための本発明の第１発明は、請求項１に記載された通りの出隅・入隅部材であり、次のようなものである。
構築物における縦張りパネルまたはサイディングの出隅部や入隅部の張り始めや張り納めを行う出隅・入隅部材で、前記パネルまたはサイディングにおける張り始めの側面端部の一端を受け入れる凹部状または凸部状のスタータ部を有し、一端に釘やネジ等で固定する固定部を有し、該固定部の反対側（他端）には、パネルまたはサイディングの厚みと略同一に折り曲げた厚みを有する略コ字形状の部材を一体的に形成したスタータを具備する構成である。
【０００６】
上記課題を解決するための本発明の第２発明は、請求項２に記載された通りの出隅・入隅部材であり、次のようなものである。
構築物における縦張りパネルまたはサイディングの出隅部や入隅部の張り始めや張り納めを行う出隅・入隅部材で、前記パネルまたはサイディングの張り始めの側面端部の一端を受け入れる凹部状、または凸部状のスタータ部を有し、他端に釘やネジ等で固定する固定部を有する係止部材のスタータと、前記凹部状、または凸部状のスタータ部に嵌入できるように、しかもパネルまたはサイディングの張り始めの側面端部が入るような凹部、または凸部に一部または全体に嵌合する部分を有し、他方は、パネルまたはサイディングの厚さと略同一の厚さの折り曲げ部を設けた略コ字形状の部材の２つの別部材で形成するようにしたことを特徴とするスタータと出隅部または入隅部を具備する構成である。
【０００７】
上記課題を解決するための本発明の第３発明は、請求項３に記載された通りの出隅・入隅部材であり、次のようなものである。
パネルまたはサイディングの張り終り部の納め方として、パネルまたはサイディングの嵌合目地形状に略同形状の断面を有する受け部材と廻り縁セットを組み合わせて前記出隅・入隅部材による張り始めと、張り終り部の納め方によって請求項１または請求項２記載の出隅・入隅部材と受け部材と廻り縁セットの組み合わせで可能にしたスタータを具備する構成である。
【０００８】
上記課題を解決するための本発明の第４発明は、請求項４に記載された通りの出隅・入隅部材であり、次のようなものである。
請求項１及び請求項２の出隅・入隅部材、または請求項３記載の出隅・入隅部材と受け部材付き廻り縁セットを用いて、構築物の出隅部または入隅部に合わせて、先ず出隅・入隅部材の一端を出隅部や入隅部に固定し、この出隅・入隅部材に一体または別体に設けた凹部にパネルまたはサイディングにおける張り始めの側面端部の一端を挿入し張り始め、張り終り部では受け部材と廻り縁セットで納めるように施工する構成である。
【０００９】
【発明の実施の形態】
図１は、本発明に係る出隅・入隅部材を用いて出隅部の納まり状態を示す断面図である。図２は、本発明の図１で示す受け部材と廻り縁セットとカバーの斜視図である。図３は、本発明の図１で示す出隅・入隅部材と、位置出し金具の斜視図である。
この実施例では、金属製パネル、金属製サイディング、合成樹脂製パネル、合成樹脂製サイディング、養生系パネル、養生系サイディング等各種考えられるが、一例として、金属製サイディングを用いて出隅部を張り納める際の構成を説明する。
出隅・入隅部材を一体的に形成した出隅部の納まりを示す実施例であり、構築物下地部（出隅部）１に対して、本発明の出隅・入隅部材Ａは金属板材を折り曲げて形成したスタータ部と出隅部を一体に具備した部材で、金属製サイディング２の側端の突起部３が挿入できる凹部６を有する出隅部材Ａが形成され、図１に示すように一端部の係止部材７をビス等で固定し、金属製サイディング２の張り始め部を係合させて張り始める。張り終り部９は出隅部１の他面に受け部材１０と長尺のカバーを具備した廻り縁セット１１を押嵌して張り終り部９の納めを行う。尚、金属製サイディング２の表面と出隅取付具Ａとの面を面一にするために、廻り縁セット１１の端部が納まるように図１のように面一にするものである。
【００１０】
尚、１２は出隅部材Ａに形成した出隅の表面が左右で略同一に見えるようにした飾り用リブである。また、１４は位置出し金具で、これは金属製パネルまたは金属製サイディング２の出隅部が面一になるように案内を兼ねた位置出しができるように、折り曲げて形成したものである。位置出し金具１４は、出隅や入隅の全長に沿って入れることもできるが、上端や下端やその中間部に短いものを使うこともできる。
【００１１】
次に、図４に基づいて説明すると、構築物下地部（出隅部）１に対して本発明の出隅・入隅部材Ａは金属板材を折り曲げて形成したスタータ部を具備したもので、金属製サイディング２の端部の突起部３に係合する凹部４を有し、折り曲げて金属製サイディング２の厚さに相当する図１で示すように横にした略コ字形部材５と、前記凹部４を覆うように他の別体部材からなる凹部６で覆って、その凹部６に連続して構築物下地部（出隅部）１に位置決めを兼ねて係止できるように係止部材７が形成されて図４に示すようにビス等で固定し、金属製サイディング２の張り始め部８の突起部３が嵌合され張り始める。尚、１２は略コ字形部材５に形成した装飾用リブである。
【００１２】
張り終り部９は、構築物下地部（出隅部）１の他面に受け部材１０と長尺カバーを兼用した廻り縁セット１１を押嵌して張り終り部９の納めを行う。図４で示した、出隅・入隅部材Ａは、金属板を折り曲げて形成したもので、略コ字形部材５と係止部材１７は別部材で組み合わせて使用している。
【００１３】
また、図１〜図４で示した実施例は、金属板材を折り曲げて形成したものであるが、その他、アルミ等金属押出し加工品で形成するとか、樹脂や木材を加工しても可能である。さらに、窯業押出しの加工品でも可能である。尚、以上の出隅・入隅部材Ａの材料としては色々考えられることは述べたが、その他にも色彩を変えることでアクセントを付けること等も可能である。さらに角部の形状は、円弧状、面取り、凹凸状を形成する等、外観上のアクセントを付けることもできる。
【００１４】
次に、図５に基づいて説明する。
この実施例は、アルミ等金属押出し加工品で、位置決めを兼ねた凹部４と略コ字形部材５と凹部６と係止部材７を一体的に形成した出隅・入隅部材Ａである。この出隅・入隅部材Ａを覆うように金属板を折り曲げたカバー１３をすることで金属製サイディング２との外観バランスをとるようにするものである。
また、図４に示す例の如く、受け部材１０やカバー１３は金属板と折り曲げて作ることや押出し成形材に金属板を巻き付けて作成することもできる。
この出隅・入隅部材Ａは、出隅や入隅の全長にわたって使用することもできるが、上端と下端や中間部に部分的に短いものを使って出隅・入隅部材を構成することもできる。
【００１５】
次に、図６に基づいて入隅部の納めを行う場合について説明する。
前述した出隅部材と同様に、この実施例は、入隅部の納まりを示すものでスタータを具備した出隅・入隅部材Ａは折り曲げ成形した金属製の一体ものの例で、図１と同じ金属製サイディング２の入隅部の納め方の一例を示す。金属製サイディング２の張り始めの突起部３を係合できるように凹部６を形成し、一端部を出隅・入隅部材Ａと構築物下地部（入隅部）１５に固定する。その凹部６に金属製サイディング２の突起部３を嵌入して張り始めるもので、その他は前記した出隅部の場合と同一なので特に説明は省略する。
【００１６】
以上の出隅・入隅部材Ａは、一般にフォーミングロール成形機を使って表面材は加工するが、プレス折り曲げ成形機で加工するものもある。また、係止部材７、１７、受け部材１０、カバー１３や位置出し金具１４は金属板を折り曲げて加工することもできるが、金属や樹脂の押出し成形で作成することも可能である。さらに、出隅・入隅部材Ａの表面に金属製サイディング２と同一エンボス加工を施すことも可能である。
【００１７】
【発明の効果】
本発明に係る出隅・入隅部材は、以上の説明してきたような構成であるので、以下に記載する効果を奏する。
（１）スタータ部材を兼ねた出隅・入隅部材を廻り縁セットと組み合わせることで、外観上パネルまたはサイディングと表面が面一になるように簡単に仕上げることができる。
（２）パネルまたはサイディングの張り始めの切断加工が不要である。
（３）出隅や入隅の納めに同じ部材を使って共通のもので施工でき、容易に張り納めることが可能である。
（４）パネルまたはサイディングの外観と出隅・入隅との景観がバランス良くできる。
（５）パネルやサイディングの嵌合目地部の嵌合形状と出隅や入隅の両側の目地形状を類似の形状に仕上げることができる。
（６）出隅や入隅を従来施工のように外観を出っ張らせて作ることも予め断面形状を変えることで可能である。逆に凹状にへこませることも可能である。
【図面の簡単な説明】
【図１】本発明の構築物における金属製サイディング等の出隅部の納め方を示す第１実施例の断面図である。
【図２】本発明の図１で示す受け部材と廻り縁セットとカバーの斜視図である。
【図３】本発明の図１で示す出隅・入隅部材と、位置出し金具の斜視図である。
【図４】本発明の構築物における金属製サイディング等の出隅部の納め方を示す第２実施例の断面図である。
【図５】本発明の構築物における金属製サイディング等の出隅部の納め方を示す第３実施例の断面図である。
【図６】本発明の構築物における金属製サイディング等の入隅部の納め方を示す第１実施例の断面図である。
【図７】従来の構築物における金属製サイディング等の出隅部の納め方を示す断面図である。
【符号の説明】
１‥‥構築物下地部（出隅部）          ２‥‥金属製サイディング
３・・・・スタータ部                      ４・・・・凹部
５・・・・略コ字形部材                    ６・・・・凹部
７・・・・係止部材                        ８・・・・張り始め部
９・・・・張り終り部                    １０・・・・受け部材
１１・・・・廻り縁セット                  １２・・・・装飾用リブ
１３・・・・カバー                        １４・・・・位置出し金具
１５・・・・構築物下地部（入隅部）        １７・・・・係止部材
２１・・・・出隅部                        ２２・・・・張り始め部
２３・・・・張り終り部                    ２４・・・・切断部
２５・・・・下地板                        ２６・・・・出隅部材
Ａ・・・・出隅・入隅部材
【図１】
2004360251.tif 000003
【図２】
2004360251.tif 000004
【図３】
2004360251.tif 000005
【図４】
2004360251.tif 000006
【図５】
2004360251.tif 000007
【図６】
2004360251.tif 000008
【図７】
2004360251.tif 000009
【手続補正書】
【提出日】平成15年6月18日(2003.6.18)
【手続補正１】
【補正対象書類名】明細書
【補正対象項目名】全文
【補正方法】変更
【補正の内容】
【特許請求の範囲】
【請求項１】構築物における縦張りパネルまたはサイディングの出隅部や入隅部の張り始めや張り納めを行う出隅・入隅部材で、前記パネルまたはサイディングの張り始めの側面端部の一端を受け入れる凹部状または凸部状のスタータ部を有し、一端に釘やネジ等で固定する固定部を有し、該固定部の反対側（他端）には、パネルまたはサイディングの厚みと略同一に折り曲げた厚みを有する略コ字形状の部材を一体的に形成したスタータを具備することを特徴とする出隅・入隅部材。
【請求項２】構築物における縦張りパネルまたはサイディングの出隅部や入隅部の張り始めや張り納めを行う出隅・入隅部材で、前記パネルまたはサイディングの張り始めの側面端部の一端を受け入れる凹部状、または凸部状のスタータ部を有し、他端に釘やネジ等で固定する固定部を有する係止部材のスタータと、前記凹部状、または凸部状のスタータ部に嵌入できるように、しかもパネルまたはサイディングの張り始めの側面端部が入るような凹部、または凸部に一部または全体に嵌合する部分を有し、他方は、パネルまたはサイディングの厚さと略同一の厚さの折り曲げ部を設けた略コ字形状の部材の２つの別部材で形成するようにしたことを特徴とするスタータと出隅部または入隅部を具備することを特徴とする出隅・入隅部材。
【請求項３】パネルまたはサイディングの張り終り部の納め方として、パネルまたはサイディングの嵌合目地形状に略同形状の断面を有する受け部材と廻り縁セットを組み合わせて前記出隅・入隅部材による張り始めと、張り終り部の納め方によって請求項１または請求項２記載の出隅・入隅部材と受け部材と廻り縁セットの組み合わせで可能にしたスタータを具備することを特徴とする出隅・入隅部材と受け部材付き廻り縁セット。
【請求項４】請求項１及び請求項２の出隅・入隅部材、または請求項３記載の出隅・入隅部材と受け部材付き廻り縁セットを用いて、構築物の出隅部または入隅部に合わせて、先ず出隅・入隅部材の一端を出隅部や入隅部に固定し、この出隅・入隅部材に一体または別体に設けた凹部にパネルまたはサイディングにおける張り始めの側面端部の一端を挿入し張り始め、張り終り部では受け部材と廻り縁セットで納めるように施工することを特徴とする出隅または入隅の施工方法。
【発明の詳細な説明】
【０００１】
【発明の属する技術分野】
本発明は、構築物、建造物における出隅部、または入隅部の納まりとして、パネルやサイディング、例えば金属製パネルや金属製サイディングの表面と出隅部や入隅部の表面とを面一にでき、しかも該金属製パネルや金属製サイディングの嵌合部の目地形状と略同形状の目地を出隅部や入隅部の両端にできるようにしたスタータ兼用の出隅・入隅部材で、出隅と入隅に同一部材で共用できる部材に関するものである。
【０００２】
【従来の技術】
従来、縦張り金属製パネルや金属製サイディングを張って、構築物の出隅や入隅を施工する時には、該金属製パネルや金属製サイディングの端部を切断して直接に構築物に釘等で固定し、その出隅部や入隅部に断面が略Ｌ字型に折り曲げた出隅部材または入隅部材を金属板で覆せてその表面より釘等で構築物に固定していた。また、表面に釘頭が見えないようにするには、図７に示すように該金属製パネルまたは金属製サイディングの表面に重ねて材木等を使って下地材を貼り付けて出隅部（入隅部も同様）を作り、その材木を予め所定の形状に折り曲げた金属板で被せて出隅部を施工していた。
また、構築物の外壁にサイディングを貼る時に出隅材や入隅材の表面に釘打ちしないための方法として出隅材取り付け具が出願されている。出隅材隅部を形成する一対の出隅材側面部の各々の内面に該出隅材隅部側を向いて長手方向に延びる第１及び第２係合面が形成された出隅材を建造物出隅部に取り付けるために使用される出隅材取付具であって、弾性を有する材料で形成されており、上記出隅材隅部に対応した取付具隅部を形成すると共に上記出隅材側面部に対応する一対の取付具側面部からなり、建造物出隅部に固定される取付具本体部と、上記取付具本体部の各取付具側面部の外面に、該取付具側面部の側端側に向かって斜め外向きに延びるように設けられ、上記出隅材側面部の第１係合面に係合当接して該第１係合面を該出隅材側面部の側端側に向かって斜め外向きに押圧する第１係合部と、上記取付具本体部の各取付具側面部の外面に、該取付具側面部から立ち上がったのち折り返されて該取付具側面部の側端側に向かって斜め内向きに延びるように設けられ、上記出隅材側面部の第２係合面に係合当接して該第２係合面を該出隅材側面部の側端側に向かって斜め内向きに押圧する第２係合部と、を備えたことを特徴とする出隅材取付具（例えば、特許文献１参照）が存在している。
【０００３】
【特許文献１】
特開２００２−２５０１１０（特許請求の範囲、図１、図２、図８）
【０００４】
【発明が解決しようとする課題】
本発明に係る縦張りの壁部材であるパネルまたはサイディング、例えば金属製パネルまたは金属製サイディングにおける出隅部や入隅部の張り納めを行う出隅・入隅部材は、次の課題を解決することが目的である。
従来の技術によって金属板表面に釘頭が見えない施工をするには、単に図７に示すように構築物下地材（出隅部）２１において縦張り金属製パネルまたは金属製サイディングの張り始め部２２と張り終り部２３を構築物下地材（出隅部）２１の角度に合致するように切断加工し、この切断部２４を合わせて組み合わせる。これを下地板２５と一緒に固定し、この下地板２５を覆うように出隅部材２６（鉄板の折り曲げ加工品）で張り納めるので、壁部材である金属製パネルまたは金属製サイディングの表面と出隅部材セットの表面部が面一に仕上げることができない。しかも、金属製パネルまたは金属製サイディングの端部を切断する必要があった。
また、従来技術である特開２００２−２５０１１０号公報に示された出隅材取付具は、確かに強固で且つ高精度な取り付けが可能となるが、出隅専用の部材を構築物の出隅部に固定させるための窯業系の部材でサイディングのスタータ部を備えていない。従って、出隅部の両側の目地部はコーキング等で隙間をコーキングする必要がある。
これに対し本発明においては、縦張りのパネルあるいはサイディング、例えば金属製パネルあるいは金属製サイディング（以下、金属製パネル、金属製サイディングを用いて説明する）や、合成樹脂製、窯業系、パネル、サイディングの端部形状に合わせたスタータ兼用の出隅・入隅部材を先ず、構築物における出隅部の一方に固定し、このスタータ兼用の出隅・入隅部材に金属製パネル端部あるいは金属製サイディング端部の張り始め部を係合して出隅部や入隅部を仕上げていく。さらに、スタータ兼用の出隅・入隅部材の他方は、金属製パネルあるいは金属製サイディングの厚さと略同一の厚さになるように折り曲げ形成されている。このように形成することで外観上、金属製パネルあるいは金属製サイディングの表面と出隅・入隅部材とは面一に仕上げることができる。また、窯業系の外壁の出隅のように目地部をコーキングで納める必要がないものである。
【０００５】
【課題を解決するための手段】
上記課題を解決するための本発明の第１発明は、請求項１に記載された通りの出隅・入隅部材であり、次のようなものである。
構築物における縦張りパネルまたはサイディングの出隅部や入隅部の張り始めや張り納めを行う出隅・入隅部材で、前記パネルまたはサイディングにおける張り始めの側面端部の一端を受け入れる凹部状または凸部状のスタータ部を有し、一端に釘やネジ等で固定する固定部を有し、該固定部の反対側（他端）には、パネルまたはサイディングの厚みと略同一に折り曲げた厚みを有する略コ字形状の部材を一体的に形成したスタータを具備する構成である。
【０００６】
上記課題を解決するための本発明の第２発明は、請求項２に記載された通りの出隅・入隅部材であり、次のようなものである。
構築物における縦張りパネルまたはサイディングの出隅部や入隅部の張り始めや張り納めを行う出隅・入隅部材で、前記パネルまたはサイディングの張り始めの側面端部の一端を受け入れる凹部状、または凸部状のスタータ部を有し、他端に釘やネジ等で固定する固定部を有する係止部材のスタータと、前記凹部状、または凸部状のスタータ部に嵌入できるように、しかもパネルまたはサイディングの張り始めの側面端部が入るような凹部、または凸部に一部または全体に嵌合する部分を有し、他方は、パネルまたはサイディングの厚さと略同一の厚さの折り曲げ部を設けた略コ字形状の部材の２つの別部材で形成するようにしたことを特徴とするスタータと出隅部または入隅部を具備する構成である。
【０００７】
上記課題を解決するための本発明の第３発明は、請求項３に記載された通りの出隅・入隅部材であり、次のようなものである。
パネルまたはサイディングの張り終り部の納め方として、パネルまたはサイディングの嵌合目地形状に略同形状の断面を有する受け部材と廻り縁セットを組み合わせて前記出隅・入隅部材による張り始めと、張り終り部の納め方によって請求項１または請求項２記載の出隅・入隅部材と受け部材と廻り縁セットの組み合わせで可能にしたスタータを具備する構成である。
【０００８】
上記課題を解決するための本発明の第４発明は、請求項４に記載された通りの出隅・入隅部材であり、次のようなものである。
請求項１及び請求項２の出隅・入隅部材、または請求項３記載の出隅・入隅部材と受け部材付き廻り縁セットを用いて、構築物の出隅部または入隅部に合わせて、先ず出隅・入隅部材の一端を出隅部や入隅部に固定し、この出隅・入隅部材に一体または別体に設けた凹部にパネルまたはサイディングにおける張り始めの側面端部の一端を挿入し張り始め、張り終り部では受け部材と廻り縁セットで納めるように施工する構成である。
【０００９】
【発明の実施の形態】
図１は、本発明に係る出隅・入隅部材を用いて出隅部の納まり状態を示す断面図である。図２は、本発明の図１で示す受け部材と廻り縁セットとカバーの斜視図である。図３は、本発明の図１で示す出隅・入隅部材と、位置出し金具の斜視図である。
この実施例では、金属製パネル、金属製サイディング、合成樹脂製パネル、合成樹脂製サイディング、窯業系パネル、窯業系サイディング等各種考えられるが、一例として、金属製サイディングを用いて出隅部を張り納める際の構成を説明する。
出隅・入隅部材を一体的に形成した出隅部の納まりを示す実施例であり、構築物下地部（出隅部）１に対して、本発明の出隅・入隅部材Ａは金属板材を折り曲げて形成したスタータ部と出隅部を一体に具備した部材で、金属製サイディング２の側端の突起部３が挿入できる凹部６を有する出隅部材Ａが形成され、図１に示すように一端部の係止部材７をビス等で固定し、金属製サイディング２の張り始め部を係合させて張り始める。張り終り部９は出隅部１の他面に受け部材１０と長尺のカバーを具備した廻り縁セット１１を押嵌して張り終り部９の納めを行う。尚、金属製サイディング２の表面と出隅取付具Ａとの面を面一にするために、廻り縁セット１１の端部が納まるように図１のように面一にするものである。
【００１０】
尚、１２は出隅部材Ａに形成した出隅の表面が左右で略同一に見えるようにした飾り用リブである。また、１４は位置出し金具で、これは金属製パネルまたは金属製サイディング２の出隅部が面一になるように案内を兼ねた位置出しができるように、折り曲げて形成したものである。位置出し金具１４は、出隅や入隅の全長に沿って入れることもできるが、上端や下端やその中間部に短いものを使うこともできる。
【００１１】
次に、図４に基づいて説明すると、構築物下地部（出隅部）１に対して本発明の出隅・入隅部材Ａは金属板材を折り曲げて形成したスタータ部を具備したもので、金属製サイディング２の端部の突起部３に係合する凹部４を有し、折り曲げて金属製サイディング２の厚さに相当する図１で示すように横にした略コ字形部材５と、前記凹部４を覆うように他の別体部材からなる凹部６で覆って、その凹部６に連続して構築物下地部（出隅部）１に位置決めを兼ねて係止できるように係止部材７が形成されて図４に示すようにビス等で固定し、金属製サイディング２の張り始め部８の突起部３が嵌合され張り始める。尚、１２は略コ字形部材５に形成した装飾用リブである。
【００１２】
張り終り部９は、構築物下地部（出隅部）１の他面に受け部材１０と長尺カバーを兼用した廻り縁セット１１を押嵌して張り終り部９の納めを行う。図４で示した、出隅・入隅部材Ａは、金属板を折り曲げて形成したもので、略コ字形部材５と係止部材１７は別部材で組み合わせて使用している。
【００１３】
また、図１〜図４で示した実施例は、金属板材を折り曲げて形成したものであるが、その他、アルミ等金属押出し加工品で形成するとか、樹脂や木材を加工しても可能である。さらに、窯業押出しの加工品でも可能である。尚、以上の出隅・入隅部材Ａの材料としては色々考えられることは述べたが、その他にも色彩を変えることでアクセントを付けること等も可能である。さらに角部の形状は、円弧状、面取り、凹凸状を形成する等、外観上のアクセントを付けることもできる。
【００１４】
次に、図５に基づいて説明する。
この実施例は、アルミ等金属押出し加工品で、位置決めを兼ねた凹部４と略コ字形部材５と凹部６と係止部材７を一体的に形成した出隅・入隅部材Ａである。この出隅・入隅部材Ａを覆うように金属板を折り曲げたカバー１３をすることで金属製サイディング２との外観バランスをとるようにするものである。
また、図４に示す例の如く、受け部材１０やカバー１３は金属板と折り曲げて作ることや押出し成形材に金属板を巻き付けて作成することもできる。
この出隅・入隅部材Ａは、出隅や入隅の全長にわたって使用することもできるが、上端と下端や中間部に部分的に短いものを使って出隅・入隅部材を構成することもできる。
【００１５】
次に、図６に基づいて入隅部の納めを行う場合について説明する。
前述した出隅部材と同様に、この実施例は、入隅部の納まりを示すものでスタータを具備した出隅・入隅部材Ａは折り曲げ成形した金属製の一体ものの例で、図１と同じ金属製サイディング２の入隅部の納め方の一例を示す。金属製サイディング２の張り始めの突起部３を係合できるように凹部６を形成し、一端部を出隅・入隅部材Ａと構築物下地部（入隅部）１５に固定する。その凹部６に金属製サイディング２の突起部３を嵌入して張り始めるもので、その他は前記した出隅部の場合と同一なので特に説明は省略する。
【００１６】
以上の出隅・入隅部材Ａは、一般にフォーミングロール成形機を使って表面材は加工するが、プレス折り曲げ成形機で加工するものもある。また、係止部材７、１７、受け部材１０、カバー１３や位置出し金具１４は金属板を折り曲げて加工することもできるが、金属や樹脂の押出し成形で作成することも可能である。さらに、出隅・入隅部材Ａの表面に金属製サイディング２と同一エンボス加工を施すことも可能である。
【００１７】
【発明の効果】
本発明に係る出隅・入隅部材は、以上の説明してきたような構成であるので、以下に記載する効果を奏する。
（１）スタータ部材を兼ねた出隅・入隅部材を廻り縁セットと組み合わせることで、外観上パネルまたはサイディングと表面が面一になるように簡単に仕上げることができる。
（２）パネルまたはサイディングの張り始めの切断加工が不要である。
（３）出隅や入隅の納めに同じ部材を使って共通のもので施工でき、容易に張り納めることが可能である。
（４）パネルまたはサイディングの外観と出隅・入隅との景観がバランス良くできる。
（５）パネルやサイディングの嵌合目地部の嵌合形状と出隅や入隅の両側の目地形状を類似の形状に仕上げることができる。
（６）出隅や入隅を従来施工のように外観を出っ張らせて作ることも予め断面形状を変えることで可能である。逆に凹状にへこませることも可能である。
【図面の簡単な説明】
【図１】本発明の構築物における金属製サイディング等の出隅部の納め方を示す第１実施例の断面図である。
【図２】本発明の図１で示す受け部材と廻り縁セットとカバーの斜視図である。
【図３】本発明の図１で示す出隅・入隅部材と、位置出し金具の斜視図である。
【図４】本発明の構築物における金属製サイディング等の出隅部の納め方を示す第２実施例の断面図である。
【図５】本発明の構築物における金属製サイディング等の出隅部の納め方を示す第３実施例の断面図である。
【図６】本発明の構築物における金属製サイディング等の入隅部の納め方を示す第１実施例の断面図である。
【図７】従来の構築物における金属製サイディング等の出隅部の納め方を示す断面図である。
【符号の説明】
１‥‥構築物下地部（出隅部）          ２‥‥金属製サイディング
３・・・・スタータ部                      ４・・・・凹部
５・・・・略コ字形部材                    ６・・・・凹部
７・・・・係止部材                        ８・・・・張り始め部
９・・・・張り終り部                    １０・・・・受け部材
１１・・・・廻り縁セット                  １２・・・・装飾用リブ
１３・・・・カバー                        １４・・・・位置出し金具
１５・・・・構築物下地部（入隅部）        １７・・・・係止部材
２１・・・・出隅部                        ２２・・・・張り始め部
２３・・・・張り終り部                    ２４・・・・切断部
２５・・・・下地板                        ２６・・・・出隅部材
Ａ・・・・出隅・入隅部材